(57)【特許請求の範囲】
【請求項１】
台座本体（３）の中央を開口し、この開口周壁を下方に垂下した有底のガイド筒（８）を設け、このガイド筒（８）内にヒーター（９）を備えた熱板（２）を張設し、この熱板（２）上に載置する着脱自在で液体収容の容器（４）を設け、台座本体（３）のガイド筒（８）前方に温度操作用つまみ（１１）等を備えた操作盤（１２）を設け、台座本体（３）の内側前部に温度操作用つまみ（１１）により作動する操作パネル基板（１４），ヒーター（９）等を作動する電子回路を備えたメイン基板（１５）を設け、台座本体（３）の内側下部を閉鎖する底蓋（６）を設けた電気湯沸かし器（１）に於いて、上記台座本体（３）のガイド筒（８）下部で、台座本体内の熱板（２）側と操作パネル基板（１４）及びメイン基板（１５）側との境に、ガイド筒（８）と共に台座本体の内側下部を二分割する分割リブ（１６）を設けると共に、台座本体（３）の底部全周を一枚の底蓋（６）にて覆い、底蓋の熱板（２）側と操作パネル基板（１４）及びメイン基板（１５）側との境に、底蓋内部を二分割する底蓋分割リブ（３２）を垂設し、台座本体（３）の底部に底蓋（６）をセットした状態で、台座本体（３）の分割リブ（１６）と底蓋（６）の底蓋分割リブ（３２）とが重なり合うようにしたことを特徴とした電気湯沸かし器。
【発明の詳細な説明】
【０００１】
【発明の属する技術分野】
本発明は、熱板及び電子回路を備えたメイン基板等を内蔵の台座本体と液体収容の容器とが分離する電気湯沸かし器に関する。
【０００２】
【従来の技術】
従来、電気湯沸かし器は台座本体の中央上部にヒーターを備えた熱板を張設し、この熱板上に載置する着脱自在で液体収容の容器を設け、台座本体の前面に温度操作用つまみ、保温ランプ等を備えた操作盤を設け、台座本体の内側前部に温度操作用つまみにより作動する操作パネル基板、電子回路を備えたメイン基板を設け、台座本体の内部を閉鎖する底蓋を設けて、台座本体に設けたプラグ受けに差し込まれたプラグより各基板を作動し、ヒーターによって熱板を加熱して、容器内の液体を沸かしていた。
【０００３】
【発明が解決しようとする課題】
しかしながら、この電気湯沸かし器の底蓋にて覆われる台座本体の内部は熱板の熱によって、外気の温度よりも非常に高い温度となり、この高熱にて台座本体内の基板類特に電子回路を備えたメイン基板に悪影響を与えて、正常な操作を行うことができないという問題点があった。
【０００４】
そこで、本発明はこのような従来の電気湯沸かし器が有していた課題を解決したものであって、台座本体の構造が簡単で台座本体を構成する部品点数もきわめて少なくてすみ、組立作業も非常に容易で、煩雑な作業もなく、コストの大幅な削減をはかることができる。又、台座本体内のメイン基板等に熱板の高熱の影響を与えないよう熱板側とメイン基板側とに確実に二分割しているので、容器の着脱を頻繁に行ってもその都度作動するメイン基板等を正常な操作にて行うことができる。
【０００５】
【課題を解決するための手段】
上記目的を達成するために、本発明の電気湯沸かし器１は台座本体３の中央を開口し、この開口周壁を下方に垂下した有底のガイド筒８を設け、このガイド筒８内にヒーター９を備えた熱板２を張設し、この熱板２上に載置する着脱自在で液体収容の容器４を設け、台座本体３のガイド筒８前方に温度操作用つまみ１１等を備えた操作盤１２を設け、台座本体３の内側前部に温度操作用つまみ１１により作動する操作パネル基板１４，ヒーター９等を作動する電子回路を備えたメイン基板１５を設け、台座本体３の内側下部を閉鎖する底蓋６を設けた電気湯沸かし器１に於いて、上記台座本体３のガイド筒８下部で、台座本体内の熱板２側と操作パネル基板１４及びメイン基板１５側との境に、ガイド筒８と共に台座本体の内側下部を二分割する分割リブ１６を設けると共に、台座本体３の底部全周を一枚の底蓋６にて覆い、底蓋の熱板２側と操作パネル基板１４及びメイン基板１５側との境に、底蓋内部を二分割する底蓋分割リブ３２を垂設し、台座本体３の底部に底蓋６をセットした状態で、台座本体３の分割リブ１６と底蓋６の底蓋分割リブ３２とが重なり合うようにする構成としたものである。
【０００６】
【発明の実施の形態】
以下、本発明の実施例について図に基づき説明する。
図中、図１は本発明実施例の正面図、図２は本発明実施例の縦断面図、図３は本発明実施例の要部を示す分解斜視図である。
電気湯沸かし器１は熱板２を備えた台座本体３と、台座本体３の底部を覆う底蓋６、この台座本体３中央上部に載置する着脱自在で液体を収納する容器４と、この容器４の上部口元を覆う蓋体５とから構成されている。３１はハンドルである。
【０００７】
容器４は耐熱性ガラス、金属、又は陶器性材料により口元広口で一重の有底筒状に形成されている。この容器４は口元の前端に斜下方に延びた注ぎ口７を設けている。この容器４は注ぎ口７の下部外周にハンドル３１の締付体を嵌め込んでいる。
【０００８】
台座本体３は耐熱性合成樹脂材料にて形成されており、内部中空で上面中央を開口し、この開口を形成する周壁を下方に垂下した有底のガイド筒８を設けている。台座本体３はガイド筒８内にヒーター９を備えた熱板２及び熱板カバー１０を配設し、台座本体３前部上面に温度操作用つまみ１１等を備えた操作盤１２を設け、ガイド筒８下部の台座本体３内部にヒーター９を作動するスイッチ基板１３や温度操作用つまみ１１にて作動する操作パネル基板１４及び各作動部を操作する電子回路を備えたメイン基板１５を設けている。
【０００９】
台座本体３は図３に示すように、台座本体後部に熱板２側を設け、台座本体前部に操作パネル基板１４及びメイン基板１５側を設けて、その境に分割リブ１６を配設している。この台座本体３の分割リブ１６は図２に示すように、後述の底蓋の底蓋分割リブ３２と重なり合って、台座本体３内の後部の熱板２側の熱が台座本体３内の前部のメイン基板１５側に流出しないよう遮蔽している。この台座本体３は図３に示すように、ガイド筒８の周りに熱板２の熱を遮蔽するための環状溝１７を形成し、ガイド筒８の底面の中央に後述のサーミスタ部材の下部が上下動できるように底孔を設けている。１８は各基板や後述の底蓋を取付けるためのボスで、１９はヒーター９の二つの端子を垂下する端子用孔である。
【００１０】
この台座本体３の操作盤１２は操作パネル基板１４の保温ランプ用の孔２０、沸騰スイッチ用の操作板２１、温度操作レバーを回動する温度操作用つまみ１１等を設けている。この温度操作用つまみ１１はスペーサー２２を介して操作パネル基板１４の温度操作レバーに係合しており、操作盤１２上で回動することにより、低温から高温、高温から低温へと温度変化自在としている。
操作パネル基板１４は台座本体３の操作盤１２裏側にビス止めされており、この表面に保温ランプ２３、沸騰スイッチ２４、温度操作レバー２５等を突設し、これらをプリント回路により配線している。
【００１１】
メイン基板１５は台座本体３内部の環状溝１７に近接し、ガイド筒８底面より突出したボス１８、１８にビス止めされている。このメイン基板１５は半導体等による電子回路を備えており、プラグ受けにて導通された電流を操作パネル基板１４、スイッチ基板１３を介して後述のサーミスタ、スイッチ、ヒーター９、温度操作レバー２５等へと導いている。
【００１２】
スイッチ基板１３は台座本体３のガイド筒８底面にビス止めされており、この基板１３上に後述のサーミスタ部材２７の上下動自在なホルダー３０にてヒーター９への電源をＯＮ、ＯＦＦするスイッチ２８を設け、プリント回路により配線している。このスイッチ基板１３は台座本体３の熱板２からの熱を直接受けないように、上面に遮蔽板２９を設けている。この遮蔽板２９は台座本体３のガイド筒８を介して熱板２から伝わった高い温度の熱を遮蔽してスイッチ基板１３への影響を少なくするようにしている。
【００１３】
台座本体３のガイド筒８内に配設された熱板２は熱伝導性の良好な金属材料、特にアルミダイキャスト等により中央開口の円板状に形成されている。この熱板２の上面は容器４の底面と面接触するように平坦状に形成されており、中央開口は後述のサーミスタ部材２７の上下動自在なサーミスタカバーの上部が挿通自在となるような小さい径である。
この熱板２を加熱するヒーター９はシーズヒーターにより熱板２の下部周壁にリング状に形成されており、このヒーター９の二つの端子はガイド筒８の端子用孔１９を貫通してガイド筒８外の台座本体３内部に突設している。
【００１４】
この熱板２と台座本体３のガイド筒８との間に熱板２を囲んで熱板カバー１０を設けている。この熱板カバー１０は浅い有底筒状に形成されており、底面の中央に熱板２の中央開口やガイド筒８の底孔と連通する中央孔を設けている。この熱板カバー１０は熱板２の熱が上方へ向け、ガイド筒８内やこのガイド筒８外の台座本体３内部に放熱されることを防ぐための遮蔽筒の働きをしている。
【００１５】
サーミスタ部材２７は容器４内の液体温度を間接的に感知して、メイン基板１５の電子回路に働きかけヒーター９をＯＮ、ＯＦＦするサーミスタと、このサーミスタを覆い上下動自在なサーミスタカバーと、このサーミスタカバーを囲んで熱板カバー１０の中央孔を通り熱板カバー１０の底壁に取り付ける取付部材と、サーミスタカバーの上下動に伴ってガイド筒８の底孔を通ってスイッチ基板１３のスイッチ２８をＯＮ、ＯＦＦするホルダー３０とからなっている。
【００１６】
底蓋６は台座本体３の下部外周壁に沿って台座本体３内部を覆うように被せられており、このセットした状態で、熱板２側と操作パネル基板１４及びメイン基板１５側との境に底蓋分割リブ３２を設けている。この底蓋分割リブ３２は図２に示すように、セットした状態では台座本体３の分割リブ１６の後壁に沿って重なり合い、後部の熱板２側と前部の操作パネル基板１４及びメイン基板１５側とに区切られている。
【００１７】
以上本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものであつて、電子回路を備えた基板を使用する電気ポット、電気加熱器等の電気製品にも適用できる。
【００１８】
【発明の効果】
以上の説明から既に明らかなように、本発明にいうところの電気湯沸かし器は台座本体の中央を開口し、この開口周壁を下方に垂下した有底のガイド筒を設け、このガイド筒内にヒーターを備えた熱板を張設し、この熱板上に載置する着脱自在で液体収容の容器を設け、台座本体のガイド筒前方に温度操作用つまみ等を備えた操作盤を設け、台座本体の内側前部に温度操作用つまみにより作動する操作パネル基板，ヒーター等を作動する電子回路を備えたメイン基板を設け、台座本体の内側下部を閉鎖する底蓋を設けた電気湯沸かし器に於いて、上記台座本体のガイド筒下部で、台座本体内の熱板側と操作パネル基板及びメイン基板側との境に、ガイド筒と共に台座本体の内側下部を二分割する分割リブを設けると共に、台座本体の底部全周を一枚の底蓋にて覆い、底蓋の熱板側と操作パネル基板及びメイン基板側との境に、底蓋内部を二分割する底蓋分割リブを垂設し、台座本体の底部に底蓋をセットした状態で、台座本体の分割リブと底蓋の底蓋分割リブとが重なり合うようにする構成としたものであるから、台座本体の構造が簡単で台座本体を構成する部品点数もきわめて少なくてすみ、組立作業も非常に容易で、煩雑な作業もなく、コストの大幅な削減をはかることができる。又、台座本体内のメイン基板等に熱板の高熱の影響を与えないよう熱板側とメイン基板側とに確実に二分割しているので、容器の着脱を頻繁に行ってもその都度作動するメイン基板等を正常な操作にて行うことができるという顕著な効果を期待することが出来るに至ったのである。
【図面の簡単な説明】
【図１】本発明実施例の正面図。
【図２】本発明実施例の縦断面図。
【図３】本発明実施例の要部を示す分解斜視図。
【符号の説明】
１…電気湯沸かし器
２…熱板
３…台座本体
４…容器
５…蓋体
６…底蓋
７…注ぎ口
８…ガイド筒
９…ヒーター
１０…熱板カバー
１１…温度操作用つまみ
１２…操作盤
１３…スイッチ基板
１４…操作パネル基板
１５…メイン基板
１６…分割リブ
１７…環状溝
１８…ボス
１９…端子用孔
２０…保温ランプ用孔
２１…操作板
２２…スペーサー
２３…保温ランプ
２４…沸騰スイッチ
２５…温度操作レバー
２６…プラグ受け
２７…サーミスタ部材
２８…スイッチ
２９…蔽閉板
３０…ホルダー
３１…ハンドル
３２…底蓋分割リブ
【図１】
0003643701.tif 000002
【図２】
0003643701.tif 000003
【図３】
0003643701.tif 000004